(57)【特許請求の範囲】
【請求項１】
複数の商品を収納し、販売機本体に着脱自在で前記販売機本体に収容される商品収納庫と、
前記商品収納庫に設けられ、前記複数の商品を１つずつ払い出す払出機構と、
前記商品収納庫の前端下部に固定され、前記払出機構から導出されたリード線に接続された雄あるいは雌の第１のコネクタと、
前記販売機本体に固定され、前記払出機構に電源あるいは制御信号を供給するリード線に接続され、前記商品収納庫が前記販売機本体に所定の位置関係で収容されたとき、前記第１のコネクタに接続する雌あるいは雄の第２のコネクタと、
前記販売機本体の後方に回動自在に支持され、前端に前記第２のコネクタを有する回動アームとを備え、
前記商品収納庫を前記所定の位置関係で収容させた後、前記回動アームを回動させることによって前記第２のコネクタを前記前端下部の前記第１のコネクタに接続することを特徴とする自動販売機の商品収納装置。
【請求項２】
前記回動アームは、前記商品収納庫と係合し、前記第１のコネクタと前記第２のコネクタとの接続を案内する案内機構を備えた構成の請求項１記載の自動販売機の商品収納装置。
【請求項３】
前記回動アームは、回動中心部が遊嵌状態で前記販売機本体に連結され、かつ、前記第１のコネクタと前記第２のコネクタとの接続を案内する案内機構を備えた構成の請求項１記載の自動販売機の商品収納装置。
【請求項４】
前記回動アームは、前記第１のコネクタと前記第２のコネクタとを接続した後、前記回動アームの回動を固定する固定具を備えた構成の請求項１又は３記載の自動販売機の商品収納装置。
【請求項５】
前記商品収納庫は、前記販売機本体との間に設けられたローラとレールとを組み合わせた転動構造によって前記販売機本体に収容される構成とした請求項１記載の自動販売機の商品収納装置。
【請求項６】
前記第１のコネクタと前記第２のコネクタは、所定の関係で接続されたとき、接続完了信号を出力する接続端子を有する構成の請求項１記載の自動販売機の商品収納装置。
【請求項７】
前記販売機本体あるいは前記商品収納庫は、前記接続完了信号を入力して接続完了を表示する表示手段を有する構成の請求項６記載の自動販売機の商品収納装置。
【発明の詳細な説明】
【０００１】
【発明の属する技術分野】
本発明は、缶飲料自動販売機等の自動販売機の商品収納装置に関し、特に、商品収納庫の着脱作業を容易かつ短時間に完了させるようにした自動販売機の商品収納装置に関する。
【０００２】
【従来の技術】
従来の缶飲料自動販売機としては、例えば、図１２に示されるものがある。この缶飲料自動販売機１０は、キャビネット状の販売機本体１１を有し、販売機本体１１内に商品収納庫１２を収容し、販売機本体１１の前面に主扉１３を備えている。商品収納庫１２は、前面に断熱扉１４を備え、前後に４連のサーペンタイン式の商品通路１５を有し、各商品通路１５の上部は商品投入口１５Ａに連通し、商品通路１５の下部に商品を１つずつ払い出す払出機構１６を設けている。払出機構１６は、商品通路５内に出没自在の第１および第２のエジェクタ１６ａ，１６ｂと、これらの駆動源となるソレノイド（図示せず）と、ソレノイドの動力を第１および第２のエジェクタ１６ａ，１６ｂに伝達して、これらを駆動する動力伝達機構（図示せず）等を備えている。なお、図１２において、２３は払出機構１６から導出されたリード線およびコネクタが収容されたホルダである。
【０００３】
ローディングの際は、商品収納庫１２が販売機本体１１に装着された状態で、商品投入口１５Ａから商品を１つずつ投入して行われる。投入された商品は、商品通路１５内を落下し、最下位の商品が商品通路１５に突出している第１のエジェクタ１６ａに受け止められることにより、商品通路１５内に積み重なった状態で収納される。また、販売の際は、払出機構１６のソレノイドが作動することにより、第２のエジェクタ１６ｂが商品通路１５に突出して、下から２番目の商品の落下を阻止するとともに、第１のエジェクタ１６ａが商品通路１５から退避して、最下位の商品を商品通路１５から商品シュート１７に落下させ、搬出口扉１８を介してポケット１９へ落下させる。購入者が、取出口扉２０を前方へ持ち上げることにより、ポケット１９から商品が取り出されて販売される。
【０００４】
また、商品通路１５の商品詰まりや払出機構１６等の故障が発生した場合は、商品収納庫１２を販売機本体１１から外して詰まった商品を取り出したり、故障箇所を修理する必要がある。このため、商品収納庫１２は、図１３に示すように、販売機本体１１側に設けられたＵ字状の前後方向に延びる案内部材２１に逆Ｕ字状の取付部材２２が係止して吊り下げられており、商品収納庫１２を案内部材２１に沿って引き出し可能となっている。商品収納庫１２を販売機本体１１から外す際は、図１４に示すように、商品収納庫１２の下部に設けられているホルダ２３をホルダ保持部２３Ａから外した後、払出機構１６から導出され、ホルダ２３内に整形されているリード線２４とコネクタ２５を引き出して雄コネクタ２５Ａと雌コネクタ２５Ｂとを分離する。次に、商品収納庫１２を案内部材２１に沿って引き出す。組み立てる際は、商品収納庫１２を案内部材２１に沿って挿入してから雄コネクタ２５Ａと雌コネクタ２５Ｂとを接続し、リード線２４とコネクタ２５を整形してホルダ２３を装着する。これにより、商品詰まり等が発生しても商品収納庫１２を外して対処することができる。
【０００５】
【発明が解決しようとする課題】
しかし、従来の缶飲料自動販売機１０によると、商品収納庫１２を引き出す場合は、取付部材２２を案内部材２１に摺動させながら引き出すため、摩擦抵抗により商品収納庫１２が引き出し難く、また、商品収納庫１２の着脱にリード線２４とコネクタ２５の整形作業が伴うため、商品収納庫１２の着脱作業に時間がかかるという欠点があった。
さらに、ローディング作業を主扉１３を開けた状態で行っていると、電車内や人通りの多い場所のように自動販売機の設置場所によっては通行の妨げになるおそれがあるという問題がある。
【０００６】
従って、本発明の目的は、商品収納庫の着脱作業を容易かつ短時間に完了させることができる自動販売機の商品収納装置を提供することにある。
【０００７】
【課題を解決するための手段】
本発明は、上記目的を達成するため、複数の商品を収納し、販売機本体に着脱自在で前記販売機本体に収容される商品収納庫と、前記商品収納庫に設けられ、前記複数の商品を１つずつ払い出す払出機構と、前記商品収納庫の前端下部に固定され、前記払出機構から導出されたリード線に接続された雄あるいは雌の第１のコネクタと、前記販売機本体に固定され、前記払出機構に電源あるいは制御信号を供給するリード線に接続され、前記商品収納庫が前記販売機本体に所定の位置関係で収容されたとき、前記第１のコネクタに接続する雌あるいは雄の第２のコネクタと、前記販売機本体の後方に回動自在に支持され、前端に前記第２のコネクタを有する回動アームとを備え、前記商品収納庫を前記所定の位置関係で収容させた後、前記回動アームを回動させることによって前記第２のコネクタを前記前端下部の前記第１のコネクタに接続することを特徴とする自動販売機の商品収納装置を提供する。上記構成によれば、第１および第２のコネクタは、回動アームの回動に基づいて接続されるので、リード線およびコネクタの整形作業が不要となる。この結果、商品収納庫の着脱作業を容易かつ短時間に完了させることができる。
【０００８】
【発明の実施の形態】
以下、本発明の実施の形態を図面を参照して詳細に説明する。図１は本発明の第１の実施の形態に係る自動販売機の商品収納装置が適用された缶飲料自動販売機の側面図である。なお、従来の缶飲料自動販売機１０と同一のものには、同一の符号を付してその詳細な説明は省略する。この缶飲料自動販売機１は、従来と同様の販売機本体１１内に着脱自在に商品収納庫２を収容し、商品収納庫２の下部に雄コネクタ２５Ａを配置し、販売機本体１１に回動可能に回動アーム３を設け、回動アーム３の先端に雄コネクタ２５Ａに接続する雌コネクタ２５Ｂを配置し、回動アーム３を水平位置まで回動させて商品収納庫２と結合する結合具５を備えている。回動アーム３は、販売機本体１１の後方に固定された支点軸４に長穴３ａが遊嵌して支点軸４を中心に回動できるようになっている。雄コネクタ２５Ａと後述する各払出機構１６とは、リード線１６ｃによって接続されている。なお、図１において、７はローラ、８はレール、Ｇは商品である。
【０００９】
また、自動販売機１は、販売機本体１１の下部にリード線６ｂによって雌コネクタ２５Ｂに接続された制御盤６を配置している。この制御盤６は、正面側に表示ランプ６ａを備え、払出機構１６に対しリード線６ｂ，中継コネクタ６ｃ，コネクタ２５（２５Ａ，２５Ｂ）およびリード線１６ｃを介して電源を供給するとともに、信号を送受信するものである。雌コネクタ２５Ｂと制御盤６とを接続するリード線６ｂは、回動アーム３に沿わせてリード線６ｂに無理な曲げが加わらないようにしている。
【００１０】
なお、商品収納庫２は、図１２で説明したように、前面に断熱扉１４を備え、前後に４連のサーペンタイン式の商品通路１５を有し、各商品通路１５の上部は商品投入口１５Ａに連通し、商品通路１５の下部に払出機構１６を設けている。払出機構１６は、商品通路１５内に出没自在の第１および第２のエジェクタ１６ａ，１６ｂと、これらの駆動源となるソレノイド（図示せず）と、ソレノイドの動力を第１および第２のエジェクタ１６ａ，１６ｂに伝達して、これらを駆動する動力伝達機構（図示せず）等を備えている。また、この自動販売機１は、図１２で説明したように、主扉１３，商品シュート１７，搬出口扉１８，ポケット１９および取出口扉２０を備えている。
【００１１】
図２は商品収納庫２の斜視図である。商品収納庫２は、左右両側面上部にローラ７，７を設け、前後面に可動式の取手２Ａ，２Ａを設け、前面下部に、上記雄コネクタ２５Ａを設けている。商品収納庫２に取手２Ａを設けることにより、商品収納庫２の運搬が容易となる。また、商品収納庫２の下面は、図１２に示した従来の商品収納庫１２とは異なり、平坦にしている。これにより、商品収納庫２を立てた状態で保管することができる。
【００１２】
図３は商品収納庫２の上部支持構造を示す正面図である。販売機本体１１の上部内壁面には、左右一対のレール８，８を前後方向に延びるように設け、商品収納庫２に設けたローラ７をレール８上に沿って転動させることにより、商品収納庫２を販売機本体１１に容易に着脱できるようにしている。また、ローラ７は、商品収納庫２の左右両側面から外側に突出しないようにしている。これにより、販売機本体１１に複数の商品収納庫２を収容する場合に自動販売機１の幅寸法を小さくすることができる。
【００１３】
図４は結合具５およびコネクタ２５の分離状態を示す図である。結合具５は、同図(a) に示すように、回動アーム３の先端前面に固定された軸５ａに回動可能に支持されたレバー５ｃと、レバー５ｃに軸着されたＵ字形部材５ｂを備え、回動アーム３を水平位置まで回動させてレバー５ｃを引き上げてＵ字形部材５ｂを商品収納庫２の雄コネクタ２５Ａ近傍に設けた係止部２ａに係止させることで、回動アーム３を商品収納庫２に結合できるようになっている。
【００１４】
雄コネクタ２５Ａは、同図(b)に示すように、対角に位置する一対の端子Ｐａ，Ｐｂ（一方の端子ＰａはＣＯＭ）同士を短絡線２５ｃによって接続している。雌コネクタ２５Ｂの対角に位置する端子Ｐａ，Ｐｂ間が、雄コネクタ２５Ａの端子Ｐａ、短絡線２５ｃ、雄コネクタ２５Ａの端子Ｐｂを介して導通状態であれば、雄コネクタ２５Ａと雌コネクタ２５Ｂとの電気的接続が完全であると判断することができる。雌コネクタ２５Ｂの対角に位置する端子Ｐａ，Ｐｂ間が、非導通状態であれば、雄コネクタ２５Ａと雌コネクタ２５Ｂとは互いに傾いているか、あるいは互いに離れているために電気的接続が不完全であると判断することができる。従って、制御盤６によって雌コネクタ２５Ｂの対角に位置する端子Ｐａ，Ｐｂ間の導通状態の有無を判断することにより、コネクタ２５の電気的接続が完全であるか否かを確認することができる。コネクタ２５の電気的接続が完全である場合は、制御盤６は、表示ランプ６ａを点灯させ、正しく接続されたことを作業者に知らせるようになっている。
【００１５】
図５はコネクタ２５の位置決め構造を示す図であり、同図(a)は回動アーム３の斜視図、同図(b)は正面図である。回動アーム３は、コ字状を有し、基端側が販売機本体１に設けた一対の支点軸４，４に長穴３ａを嵌合させ、回動先端側には、上記雌コネクタ２５Ｂおよび結合具５の他、ガイドピン９を上向きに立設し、回動アーム３を水平位置まで回動させることで、ガイドピン９が商品収納庫２の下部に設けたガイド穴２ｂに挿入して雄コネクタ２５Ａと雌コネクタ２５Ｂが電気的に完全に接続されるようにしている。
【００１６】
次に、本缶飲料自動販売機１における商品Ｇのローディング作業を図６および図７を参照して説明する。図６は自動販売機１の設置例を示す平面図、図７は商品収納庫２０を搬送する台車を示す図であり、図７(a) は正面図、図７(b) は側面図である。自動販売機１は図６に示すように、電車に設置されているとする。
【００１７】
(1) 商品収納庫２への商品Ｇの補充
作業者Ｐは、商品Ｇを商品投入口１５Ａから１つずつ投入する。投入された商品Ｇは、商品通路１５内を落下し、最下位の商品が商品通路１５に突出している第１のエジェクタ１６ａに受け止められることにより、商品通路１５内に積み重なった状態で収納される。
【００１８】
(2) 商品収納庫２の販売機本体１１への装着
作業者Ｐは、商品収納庫２を装着する自動販売機１の主扉１３および断熱扉１４を開ける。次に、作業者Ｐは、図７の(a) ，(b) に示すように、商品Ｇが補充された必要数（ここでは３つ）の商品収納庫２を台車３０の上に載置する。この台車３０は、枠体３１の上にローラ３２を配置し、枠体３１の下部にキャスタ３３を設けたものであり、先端のいくつかのローラ３２は、起立した状態から水平の状態に倒すことができる補助レール３４の上に設けられている。また、台車３０は、ローラ３２の上下方向の位置をハンドル（図示せず）の操作によってストローク３００ｍｍの範囲で調整できるようになっている。
続いて、作業者Ｐは、電車４０の乗降口（幅例えば６６０ｍｍ）４１から商品収納庫２０が載置された台車３０を中に運び入れ、自動販売機１の前に移動する。台車３０の補助レール３４を倒し、ハンドルを操作してレベル合せを行い、商品収納庫２を販売機本体１１内に押し込む。このとき、商品収納庫２に設けたローラ７を販売機本体１１に設けたレール８上に沿って転動させることにより、商品収納庫２を販売機本体１１に装着する。
次に、作業者Ｐは、台車３０を退避させ、回動アーム３を水平位置まで回動させる。このとき、ガイドピン９が商品収納庫２の下部に設けたガイド穴２ｂに案内されてガイド穴２ｂに挿入され、雄コネクタ２５Ａと雌コネクタ２５Ｂとが接続される。そして、作業者Ｐは、結合具５のレバー５ｃを引き上げてＵ字形部材５ｂを雄コネクタ２５Ａ近傍に設けた係止部２ａに係止させる。
【００１９】
(3)コネクタ２５の接続確認
制御盤６は、雌コネクタ２５Ｂの対角に位置する端子Ｐａ，Ｐｂ間の導通状態の有無を判断し、導通状態であれば、コネクタ２５の電気的接続が完全であるとして表示ランプ６ａを点灯する。非導通状態であれば、電気的接続が不完全であるとして表示ランプ６ａは点灯しないので、作業者Ｐは、回動アーム３を再度操作するか、コネクタ２５の確認等を行う。
【００２０】
次に、本缶飲料自動販売機１における商品詰まりや払出機構１６等の故障に対するメンテナンスを行う場合について説明する。まず、作業者は、自動販売機１の主扉１３および断熱扉１４を開ける。次に、作業者は、結合具５のレバー５ｃを下げてＵ字形部材５ｂを係止部２ａから外し、回動アーム３を下方向へ回動させる。このとき、ガイドピン９がガイド穴２ｂから外れ、雌コネクタ２５Ｂも雄コネクタ２５Ａから外れる。そして、作業者は、商品収納庫２を販売機本体１１から引き出す。このとき、商品収納庫２のローラ７がレール８上に沿って転動し商品収納庫２が前方へ移動する。商品収納庫２を引き出す場合に台車３０を用いてもよい。商品収納庫２を販売機本体１１から引き出すと、作業者は、詰まった商品を取り出したり、故障箇所を修理する。その後は、上記ローディング作業で説明したのと同様に商品収納庫２を販売機本体１１へ装着し、コネクタ２５の接続確認を行う。
【００２１】
上述した缶飲料自動販売機１によれば、以下の効果が得られる。
(イ) リード線６ｂ，１６ｃおよびコネクタ２５の整形作業が不要となるので、商品収納庫２の着脱作業を容易かつ短時間に完了させることができる。この結果、商品詰まりや払出機構１６等の故障に対するメンテナンス時間を短縮化することができる。また、商品Ｇが補充された商品収納庫２を販売機本体１１に装着することで、ローディング作業が短時間で終了することができ、電車内や人通りの多い場所に自動販売機１を設置することが可能となる。
(ロ) コネクタ２５の電気的接続が完全であるか否かを確認し、完全である場合は、表示ランプ６ａで作業者Ｐに知らせるので、確実に接続作業を行うことができる。
(ハ) 回動アーム３の回動中心部である長穴３ａを支点軸４に遊嵌させているので、前後方向の寸法誤差を吸収して雄コネクタ２５Ａと雌コネクタ２５Ｂとの電気的接続を完全に行えるようになる。
(ニ) 雌コネクタ２５Ｂと制御盤６とを接続するリード線６ｂを回動アーム３に沿わせているので、リード線６ｂに無理な曲げが加わるのを防止することができる。
(ホ) 商品収納庫２をローラ７とレール８とを組み合わせた転動構造によって販売機本体１１に着脱自在の構成としたので、商品収納庫２を販売機本体１１に容易に着脱することができる。
(ヘ) 制御盤６によって雌コネクタ２５Ｂの対角に位置する端子Ｐａ，Ｐｂ間の導通状態の有無を判断しているので、コネクタ２５の電気的接続が完全であるか否かをより確実に確認することができる。
【００２２】
図９は本発明の第２の実施の形態に係る自動販売機の商品収納装置が適用された缶飲料自動販売機の側面図である。この缶飲料自動販売機１は、雌コネクタ２５Ｂの取付構造部５０が、第１の実施の形態と異なり、他は第１の実施の形態と同様に構成されている。この取付構造部５０は、第１の実施の形態の回動アーム３を用いずに、雌コネクタ２５Ｂが雄コネクタ２５Ａに接続できるようにしたものである。なお、第１の実施の形態と機能が同一のものには、同一の符号を付してその詳細な説明は省略する。
【００２３】
図１０(a) は第２の実施の形態に係る雌コネクタ２５Ｂの取付構造部５０を示す要部斜視図、同図(b) はその縦断面図、図１１は取付構造部５０の要部分解斜視図である。
【００２４】
この取付構造部５０は、販売機本体１１に左右に渡る固定板５１を有し、この固定板５１の複数の商品収納庫２が配置される各中心位置に、固定板５１に取り付けられたホルダー５２、ホルダー５２に対しシャフト５３によって上下動可能に取り付けられたスライダー５４、およびスライダー５４をホルダー５２に対し下方向へ付勢する引張コイルばね５５を備えている。
【００２５】
ホルダー５２は、断面コ字状を有し、左右のフランジ５２ａ，５２ａには、シャフト５３が挿通される長穴５２ｂおよび丸穴５２ｃをそれぞれ上部と下部に形成している。
【００２６】
スライダー５４は、上部５４ａに、図５に示す雄コネクタ２５Ａに接続される雌コネクタ２５Ｂ、および図５に示すガイド穴２ｂに挿入されるガイドピン９を取り付け、正面５４ｂに、Ｕ字形部材５ｂが図５に示す係止部２ａに係止する結合具５を設け、側面５４ｃには、シャフト５３が挿通される丸穴５４ｄおよび長穴５４ｅをそれぞれ上部と下部に形成し、引張コイルばね５５の一端が係止される係止部５４ｆを設けている。雌コネクタ２５Ｂからのリード線６ｂは、ホルダー５２とスライダー５４の間を通り、ホルダー５２の左あるいは右側面から外部に導出される。
【００２７】
引張コイルばね５５は、一端がスライダー５４の係止部５４ｆに係止され、他端が下側のシャフト５３に係止されている。
【００２８】
次に、第２の実施の形態におけるコネクタ２５の接続動作を説明する。商品収納庫２を販売機本体１１に装着し、スライダー５４を引張コイルばね５５のばね力に抗して持ち上げる。このとき、ガイドピン９が商品収納庫２の下部に設けたガイド穴２ｂに案内されてガイド穴２ｂに挿入され、雄コネクタ２５Ａと雌コネクタ２５Ｂとが接続される。そして、結合具５のレバー５ｃを引き上げてＵ字形部材５ｂを雄コネクタ２５Ａ近傍に設けた係止部２ａに係止させる。
【００２９】
上述した第２の実施の形態によれば、以下の効果が得られる。
(イ) スライダー５４は、ホルダー５２を上下するだけなので、水平方向へのがたつきが少ない。
(ロ) コネクタ２５の接続状態、すなわち、スライダー５４を上側にスライドさせた状態では、上下方向にスペースができ、スライダー５４の下方にある商品シュート１７上の商品通路寸法を確保し易い。
(ハ) スライダー５４を上側にスライドさせて商品収納庫２に固定したとき、ホルダー５２とスライダー５４がその外形の最大ピッチでシャフト５３に固定されるため、安定性が高い。
(ニ) １つの販売機本体１１内に複数の商品収納庫２を搭載しても、固定板５１に商品収納庫２の数と同数のホルダー５２，スライダー５４等の用意するだけで済む。
(ホ) 販売機本体１１前面にハーネスが集中するため、組立作業性や交換性に優れる。
(ヘ) スライダー５４を上下させるだけなので、コネクタ２５の嵌合が良好となる。
(ト) 商品収納庫２の垂直方向の寸法バラツキにも対応することができる。
【００３０】
なお、本発明は、上記実施の形態に限定されず、種々な実施の形態が可能である。
例えば、商品収納庫２側に商品選択釦等の電装部品を配置し、制御盤６から商品選択釦等の電装部品に対して電源を供給するともに信号を送受信してもよい。また、商品収納庫２の転動構造は、商品収納庫２側にレールを設け、販売機本体１１側にローラを設けてもよい。
また、販売機本体１１側から電源のみをコネクタ２５を介して商品収納庫２側に供給してもよく、制御信号のみをコネクタ２５を介して送信あるいは受信してもよい。
【００３１】
【発明の効果】
以上説明した通り、本発明の自動販売機の商品収納装置によれば、リード線およびコネクタの整形作業が不要となるので、商品収納庫の着脱作業を容易かつ短時間に完了させることができる。この結果、商品が補充された商品収納庫を販売機本体に装着することができるので、ローディング作業が短時間で終了することができ、電車内や人通りの多い場所に自動販売機を設置することが可能となる。
【図面の簡単な説明】
【図１】本発明の第１の実施の形態に係る缶飲料自動販売機の側面図である。
【図２】本発明に係る商品収納庫の斜視図である。
【図３】本発明に係る商品収納庫の上部支持構造を示す正面図である。
【図４】  (a) は本発明の第１の実施の形態に係る結合具の分離状態を示す図、(b) は本発明の第１の実施の形態に係るコネクタの分離状態を示す図である。
【図５】本発明の第１の実施の形態に係るコネクタの位置決め構造を示す図であり、同図(a) は斜視図、同図(b) は正面図である。
【図６】本発明に係る缶飲料自動販売機の設置例を示す平面図である。
【図７】本発明に係る商品収納庫を搬送する台車を示す図であり、(a) は正面図、(b) は側面図である。
【図８】本発明に係る商品収納庫を搬送する台車を示す平面図である。
【図９】本発明の第２の実施の形態に係る缶飲料自動販売機の側面図である。
【図１０】  (a) は第２の実施の形態に係る雌コネクタの取付構造部を示す要部斜視図、(b) はその縦断面図である。
【図１１】第２の実施の形態に係る雌コネクタの取付構造部の要部分解斜視図である。
【図１２】従来の缶飲料自動販売機の側面図である。
【図１３】従来の缶飲料自動販売機における商品収納庫の上部支持構造を示す正面図である。
【図１４】従来の缶飲料自動販売機におけるコネクタの着脱作業を説明するための図である。
【符号の説明】
１  缶飲料自動販売機
２  商品収納庫
２Ａ  取手
２ａ  係止部
２ｂ  ガイド穴
３  回動アーム
３ａ  長穴
４  支点軸
５  結合具
５ａ  軸
５ｂ  Ｕ字形部材
５ｃ  レバー
６  制御盤
６ａ  表示ランプ
６ｂ  リード線
６ｃ  中継コネクタ
７  ローラ
８  レール
９  ガイドピン
１１  販売機本体
１４  断熱扉
１５  商品通路
１５Ａ  商品投入口
１６  払出機構
１６ａ  第１のエジェクタ
１６ｂ  第２のエジェクタ
１６ｃ  リード線
２５  コネクタ
２５Ａ  雄コネクタ
２５Ｂ  雌コネクタ
２５ｃ  短絡線
３０  台車
３１  枠体
３２  ローラ
３３  キャスタ
３４  補助レール
４０  電車
４１  乗降口
５０  取付構造部
５１  固定板
５２  ホルダー
５２ａ  フランジ
５２ｂ  長穴
５２ｃ  丸穴
５３  シャフト
５４  スライダー
５４ａ  上部
５４ｂ  正面
５４ｃ  側面
５４ｄ  丸穴
５４ｅ  長穴
５４ｆ  係止部
５５  引張コイル
Ｇ  商品
Ｐ  作業者
Ｔａ，Ｔｂ  端子
【図１】
0003692692.tif 000002
【図２】
0003692692.tif 000003
【図３】
0003692692.tif 000004
【図４】
0003692692.tif 000005
【図５】
0003692692.tif 000006
【図６】
0003692692.tif 000007
【図７】
0003692692.tif 000008
【図８】
0003692692.tif 000009
【図９】
0003692692.tif 000010
【図１０】
0003692692.tif 000011
【図１１】
0003692692.tif 000012
【図１２】
0003692692.tif 000013
【図１３】
0003692692.tif 000014
【図１４】
0003692692.tif 000015